【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
複数の無線チャネルの利用が可能、もしくは１つの無線チャネルに複数の信号を空間分割多重することが可能、もしくは複数の無線チャネルにそれぞれ複数の信号を空間分割多重することが可能な２つの無線局の間で無線通信を行い、複数のデータパケットを前記無線局同士の間で伝送するための無線パケット通信方法において、
規格で定められた標準フォーマットとは異なる特殊フォーマットのデータパケットを伝送する無線局には、標準フォーマットのデータパケット伝送の際に利用される第１のアドレス情報と、前記特殊フォーマットのデータパケット伝送の際に利用される第２のアドレス情報とを予め割り当てておき、
前記特殊フォーマットのデータパケット伝送に対応した無線局が特殊フォーマットのデータパケットを伝送する前に、自局に割り当てられた前記第１のアドレス情報及び第２のアドレス情報を含むデータパケットを確認パケットとして相手の無線局に通知し、
前記特殊フォーマットのデータパケット伝送に対応した無線局が前記確認パケットを受信した場合には、自局に割り当てられた前記第１のアドレス情報及び第２のアドレス情報を含むデータパケットを応答パケットとして相手の無線局に通知し、
前記特殊フォーマットの通信が可能な無線局は、相手の無線局から通知された前記第１のアドレス情報及び第２のアドレス情報を通信モード情報として無線局毎に管理し、
前記特殊フォーマットの通信が可能な第１の無線局がデータパケットを送信する場合には、送信先の第２の無線局に関する前記通信モード情報に基づいて送信するデータパケットのフォーマットを選択すると共に、前記第１のアドレス情報及び第２のアドレス情報の中で選択されたフォーマットに対応付けられたアドレス情報を送信元のアドレスとして含むデータパケットを送信し、
前記第２の無線局がデータパケットを受信した場合には、受信したデータパケットの送信元のアドレスを、自局が管理している通信モード情報と比較した結果に従って受信したデータパケットのフォーマットを認識し、認識したフォーマットの定義に従って受信したデータパケットを処理する
ことを特徴とする無線パケット通信方法。
【請求項２】
請求項１の無線パケット通信方法において、
前記特殊フォーマットの通信が可能な第１の無線局が、前記特殊フォーマットの通信が可能な第２の無線局に対してデータパケットを送信する場合に、前記第１の無線局は、１つのデータフレームのデータ領域を分割して形成される複数のデータブロックから複数のデータパケットを生成するとともに、前記データフレームを復元するために必要な情報を前記データパケットの中に含める
ことを特徴とする無線パケット通信方法。
【請求項３】
請求項１の無線パケット通信方法において、
前記特殊フォーマットの通信が可能な第１の無線局が、前記特殊フォーマットの通信が可能な第２の無線局に対してデータパケットを送信する場合に、前記第１の無線局は、１つのデータフレームのデータ領域を分割して形成される複数のデータブロックの一部分と他のデータフレームのデータ領域とを連結してデータパケットを生成するとともに、前記データフレームを復元するために必要な情報を前記データパケットの中に含める
ことを特徴とする無線パケット通信方法。
【請求項４】
請求項１の無線パケット通信方法において、
前記特殊フォーマットの通信が可能な第１の無線局が、前記特殊フォーマットの通信が可能な第２の無線局に対してデータパケットを送信する場合に、前記第１の無線局は、複数のデータフレームの各々のデータ領域から抽出された複数のデータブロックを連結し、前記データブロックに基づいてデータパケットに含めることが可能な最大サイズ以内のデータを格納したデータパケットを生成するとともに、前記データフレームを復元するために必要な情報を前記データパケットの中に含める
ことを特徴とする無線パケット通信方法。
【請求項５】
請求項１の無線パケット通信方法において、
前記特殊フォーマットの通信が可能な第１の無線局が、他の第２の無線局に対して第１のアドレス情報及び第２のアドレス情報を含むデータパケットを送信する場合には、前記特殊フォーマットの通信に対応しない無線局が認識不可能な状態に加工されたデータパケットを確認パケットとして送信し、
前記第１の無線局は、前記確認パケットに対して応答を返した第２の無線局のみを前記特殊フォーマットの通信に対応しているものとみなす
ことを特徴とする無線パケット通信方法。
【請求項６】
請求項５の無線パケット通信方法において、
データパケットに伝送すべき情報を含むデータ領域と誤り検出コードを含むＦＣＳ領域とが含まれる場合に、
前記確認パケットを送信する第１の無線局は、正規の誤り検出コードに対して予め定めた第１の演算処理を施した結果を前記ＦＣＳ領域に格納し、
前記特殊フォーマットの通信が可能な無線局が受信したデータパケットのＦＣＳ領域に含まれる誤り検出コードの異常を検出した場合には、前記誤り検出コードに対して前記第１の演算処理と反対の第２の演算処理を施し、その結果から正規の誤り検出コードが検出された場合には前記確認パケットを受信したものとみなし、前記確認パケットの送信元の無線局に対して応答パケットを返す
ことを特徴とする無線パケット通信方法。
【請求項７】
複数の無線局の間で無線通信を行い、データパケットを前記無線局間で伝送するための無線パケット通信方法において、
前記無線局は２つの通信モードに対応し、また前記無線局には予め２つのアドレスが割り当てられ、
前記データパケットを送信する無線局（以下「送信局」）は、前記データパケットを受信する無線局（以下「受信局」）に第１の通信モードを選択させるときに、自局に割り当てられた第１のアドレスを送信元のアドレスとして含むデータパケットを送信し、第２の通信モードを選択させるときに、自局に割り当てられた第２のアドレスを送信元のアドレスとして含むデータパケットを送信し、
前記受信局は、前記第１のアドレスを送信元アドレスとして含むデータパケットを受信したときに前記第１の通信モードを選択し、前記第２のアドレスを送信元アドレスとして含むデータパケットを受信したときに前記第２の通信モードを選択する
ことを特徴とする無線パケット通信方法。
【請求項８】
請求項７に記載の無線パケット通信方法において、
前記複数の無線局は、それぞれ割り当てられた２つのアドレスを相互に通知し、前記第１のアドレスを前記第１の通信モードとして、前記第２のアドレスを前記第２の通信モードとして各無線局で管理する
ことを特徴とする無線パケット通信方法。
【請求項９】
請求項７または請求項８に記載の無線パケット通信方法において、
前記受信局は、前記第１の通信モードを選択したときに、受信したデータパケットを第１のフォーマットをもつパケットとして処理し、前記第２の通信モードを選択したときに、受信したデータパケットを第２のフォーマットをもつパケットとして処理する
ことを特徴とする無線パケット通信方法。
【請求項１０】
請求項９に記載の無線パケット通信方法において、
前記第１のフォーマットは規格で定められた標準フォーマットであり、前記第２のフォーマットは標準フォーマットとは異なる特殊フォーマットである
ことを特徴とする無線パケット通信方法。
【手続補正２】
【補正対象書類名】明細書
【補正対象項目名】００２８
【補正方法】変更
【補正の内容】
【００２８】
【課題を解決するための手段】
請求項１は、複数の無線チャネルの利用が可能、もしくは１つの無線チャネルに複数の信号を空間分割多重することが可能、もしくは複数の無線チャネルにそれぞれ複数の信号を空間分割多重することが可能な２つの無線局の間で無線通信を行い、複数のデータパケットを前記無線局同士の間で伝送するための無線パケット通信方法において、規格で定められた標準フォーマットとは異なる特殊フォーマットのデータパケットを伝送する無線局には、標準フォーマットのデータパケット伝送の際に利用される第１のアドレス情報と、前記特殊フォーマットのデータパケット伝送の際に利用される第２のアドレス情報とを予め割り当てておき、前記特殊フォーマットのデータパケット伝送に対応した無線局が特殊フォーマットのデータパケットを伝送する前に、自局に割り当てられた前記第１のアドレス情報及び第２のアドレス情報を含むデータパケットを確認パケットとして相手の無線局に通知し、前記特殊フォーマットのデータパケット伝送に対応した無線局が前記確認パケットを受信した場合には、自局に割り当てられた前記第１のアドレス情報及び第２のアドレス情報を含むデータパケットを応答パケットとして相手の無線局に通知し、前記特殊フォーマットの通信が可能な無線局は、相手の無線局から通知された前記第１のアドレス情報及び第２のアドレス情報を通信モード情報として無線局毎に管理し、前記特殊フォーマットの通信が可能な第１の無線局がデータパケットを送信する場合には、送信先の第２の無線局に関する前記通信モード情報に基づいて送信するデータパケットのフォーマットを選択すると共に、前記第１のアドレス情報及び第２のアドレス情報の中で選択されたフォーマットに対応付けられたアドレス情報を送信元のアドレスとして含むデータパケットを送信し、前記第２の無線局がデータパケットを受信した場合には、受信したデータパケットの送信元のアドレスを、自局が管理している通信モード情報と比較した結果に従って受信したデータパケットのフォーマットを認識し、認識したフォーマットの定義に従って受信したデータパケットを処理することを特徴とする。
【手続補正３】
【補正対象書類名】明細書
【補正対象項目名】００４０
【補正方法】変更
【補正の内容】
【００４０】
請求項６においては、送信される確認パケットのＦＣＳ領域に正規の誤り検出コードに第１の演算処理を施した結果が格納されているので、特殊フォーマットの通信に対応しない一般的な無線局がそれを受信した場合、誤り検出コードの不一致により確認パケットは破棄される。一方、特殊フォーマットの通信に対応する無線局は、受信した確認パケットの誤り検出コードが異常であると認識した場合、この誤り検出コードに第２の演算処理を施した結果を再び調べる。第２の演算処理を施した結果が正規の誤り検出コードであった場合には、特殊フォーマットの通信に対応している無線局からの確認パケットであると見なすことができる。
請求項７は、複数の無線局の間で無線通信を行い、データパケットを前記無線局間で伝送するための無線パケット通信方法において、前記無線局は２つの通信モードに対応し、また前記無線局には予め２つのアドレスが割り当てられ、前記データパケットを送信する無線局（送信局）は、前記データパケットを受信する無線局（受信局）に第１の通信モードを選択させるときに、自局に割り当てられた第１のアドレスを送信元のアドレスとして含むデータパケットを送信し、第２の通信モードを選択させるときに、自局に割り当てられた第２のアドレスを送信元のアドレスとして含むデータパケットを送信し、前記受信局は、前記第１のアドレスを送信元アドレスとして含むデータパケットを受信したときに前記第１の通信モードを選択し、前記第２のアドレスを送信元アドレスとして含むデータパケットを受信したときに前記第２の通信モードを選択する。
請求項８は、請求項７に記載の無線パケット通信方法において、前記複数の無線局は、それぞれ割り当てられた２つのアドレスを相互に通知し、前記第１のアドレスを前記第１の通信モードとして、前記第２のアドレスを前記第２の通信モードとして各無線局で管理する。
請求項９は、請求項７または請求項８に記載の無線パケット通信方法において、前記受信局は、前記第１の通信モードを選択したときに、受信したデータパケットを第１のフォーマットをもつパケットとして処理し、前記第２の通信モードを選択したときに、受信したデータパケットを第２のフォーマットをもつパケットとして処理する。
請求項１０は、請求項９に記載の無線パケット通信方法において、前記第１のフォーマットは規格で定められた標準フォーマットであり、前記第２のフォーマットは標準フォーマットとは異なる特殊フォーマットである。